(57)【要約】【課題】    カメラ付き携帯電話では簡単に撮影して、表示画面で画像をみることや送信には便利であるが、画像が小さく、引き伸ばすとボケてしまうので、アルバムとして長期保存しようという提案はなかった。【解決手段】    定形印画紙は８インチ×１０インチであるので、カメラ付き携帯電話機で撮影した写真をそのままの大きさ（約３６．５ｍｍ×３６．５ｍｍ）で５枚１列を６列、即ち３０枚が配置できるので、毎日１枚宛画像を時系列に並べて満杯の３０枚で約１ヶ月となり、銀塩印画すれば保存に耐える写真絵日記となりうる。画像は小さいがその写真は、撮影・消去それに送信が容易であるので、選ばれた良い構図やシャッターチャンスの生き生きとしたもののみが、時系列に連続して配置されているので成長記録として得難いものとなる。【選択図】    図１
0003107986.tif 000002
【実用新案登録請求の範囲】
【請求項１】
カメラ付き携帯電話で撮影した写真を、ヨコ５枚、タテ６枚の計３０枚となるよう時系列に配置し、ヨコ８インチ×タテ１０インチの印画紙に銀塩印画してなる写真を綴じたものであることを特徴とする写真絵日記。
【考案の詳細な説明】
【技術分野】
【０００１】  本考案はカメラ付き携帯電話で撮影した画像を時系列に配置した銀塩印画の、写真絵日記に関する。
【背景技術】
【０００２】  近年、携帯電話の普及は甚だしく、その機能も色々とアップし、カメラ付きのものも盛んに使用されるようになった。このカメラ付き携帯電話（以下携帯という）は、撮影と同時にその画像を確認できる便利さがある。また、その画像をその携帯から送信できるので、次のような電子絵日記作成装置（特許文献１参照）が提案されている。
【特許文献１】  特開２００３−１７３３０９
【考案の開示】
【考案が解決しようとする課題】
【０００３】  しかしながら、携帯で撮影する画像は被写体が緊張することのない自然な表情を捉えることができるので、アルバムとして保存したいが、携帯で撮影した画像では小さすぎ、引き伸ばすとボケてしまうので、携帯の写真のみで作成したアルバムはなかった。即ち、携帯で撮った写真は、簡単に撮影したりそれを消去できるので、非常に良い構図やシャッターチャンスで、被写体の自然な表情を捉えた生きた写真ばかりであるにも係わらず、特許文献１のようにコンピュータの表示装置の表示画面でしかみられない電子絵日記のみで、携帯の写真をアルバムとして保存しようとする提案はない。また、携帯の画像収納容量が少ないこともあって、せっかく撮影した画像は長期保存されることなく、いつしか消去されていくのが実情であった。
携帯を所持し使用している人口は多く、我が子の笑顔や旅行時の思い出、結婚式場での写真など記憶に留めたい画像を撮る機会が多いにも係わらず、子供の成長記録や旅行記録、結婚式のスナップ写真など適当な保存の方法がないまま、消去廃棄されていた。
【課題を解決するための手段】
【０００４】  従って本考案は、携帯で撮った写真を、携帯の持っている通信機能を使って、予め作成してあるユーザー専用ファイルのＵＲＬに送信配置する。写真が３０枚送られてきてファイル１ページ分が満杯になったら、銀塩印画紙にプリントアウトして郵便で返送する。郵送されてきた写真をアルバムとして保管してなる写真絵日記を提案するものである。【０００５】  これは携帯で撮った写真でも、３６．５ｍｍ×３６．５ｍｍの大きさならば、全く携帯の画面でみるのと変りないし、その大きさの写真ならば、ヨコに５枚、タテに６枚並ぶように配置すると、８インチ×１０インチの定形印画紙に適度の余白をもって、３０枚の写真が配置されることに気ずいた。また、携帯の画像は機種によって違いはあるものの、３６．５ｍｍ×３６．５ｍｍの画像サイズ（解像度１００ｄｐｉ）であれば拡大することなく画像を扱うことができる。また、送信した画像は後に携帯から消去されたとしても送信先のコンピュータ内に残り、３０枚送信した時点で、プリントアウトされ返送されるので大切な画像を消失することはない。
【考案の効果】
【０００６】  本考案を、例えば赤ちゃんの成長写真絵日記とすれば、生まれてから毎日１枚づつ撮影し送信し、３０枚で１ページに銀塩印画されるので約１ヶ月の成長記録となり、１２枚を綴じれば約１ヶ年の成長記録となる。係るアルバムを幼稚園までの３年分あるいは小学校までの６年分を綴じれば、成長した子供にとって珠玉の贈り物となります。勿論、名前の由来などを誕生地の名所などの写真とともに表紙として添付するなどの応用も可能である。【０００７】  また、数人で旅行にいくとき、ユーザー専用ファイルのＵＲＬを参加者に事前に伝達しておき、各自がそれぞれ携帯で撮影した写真を送信し、満杯になったものを銀塩印画して返送を受ければ、共通の思い出となる。この場合、送信したデータをプリントと供にＣＤ−Ｒに焼きこみ返送してもらえば、後日焼き増しに便利など、色々と応用が効く。
即ち、１画像データの携帯による送信料は１０円未満、従って３０画像３００円未満ですむし、メーカー側も規定寸法の印画紙を使用するので、経済的である。【０００８】  図面を参照して本考案のアルバムを説明する。図１は８インチ×１０インチの印画紙（１）に３６．５ｍｍ×３６．５ｍｍの写真（２）を配置した配置図で、適当な余白をもって３０枚が収まり、下欄の余白は日時・場所・撮影者・思い出などメモ欄として活用する。写真は３０枚であるので、約１ヶ月分となる。撮影や画像の送信などを忘れたときは、季節の花や動物の写真、その他イラストなどで補うこととする。【０００９】  赤ちゃんの成長記録として活用するのは、１ページ３０枚の写真が掲載できることで１枚が約１ヶ月、１２枚で約１ヶ年となり、成長ぶりが分かり易いことや、携帯の撮影者が母親で愛児の姿を撮影し、選択し、送信するものであることなどから、構図、シャッターチャンスなどに愛情がにじみでたものとなることで、最良の形態ではないかと考える。
また、表紙に図２のように、写真５枚（４）と供に命名の由来（３）や思いなどを記録しておけば、より子供にとって貴重な記録となる。【００１０】  次に旅行や結婚式などのイベントの記録に、参加者のスナップ写真を活用するアイディアを図３の概念図で提供する。参加者（５）に予め契約者専用ファイル（７）の専用アドレス番号（８）を伝達しておき、各自がそれぞれ撮影した写真データ（６）を専用アドレス（８）に送信し、契約者専用ファイル（７）が満杯になったものを銀塩印画して返送（９）を受ければ共通の思い出となる。この場合送信したファイル内の画像をＣＤ−Ｒに焼き込み返送してもらうことで、後日の焼き増しに便利である。勿論、赤ちゃんの成長記録と同様に関連する記事や写真で構成する表紙を添付する。
【図面の簡単な説明】
【００１１】
【図１】本考案に係わる写真絵日記を構成する印画紙上の写真配置図
【図２】本考案に係わる写真絵日記の表紙の概念図
【図３】本考案に係わる写真絵日記をイベントアルバムとして制作する概念図
【符号の説明】
【００１２】  １    印画紙
２    写真
３    命名の由来
４    出生地の名所や愛児の写真
５    ユーザー（参加者＝撮影送信者）
６    写真データ
７    専用ファイル
８    専用アドレス
９    返送される印画紙
【図１】
0003107986.tif 000003
【図２】
0003107986.tif 000004
【図３】
0003107986.tif 000005